(57)【要約】【目的】当発明は、その主な目的として、如何に環境を破壊することなくエネルギーを節約し、安価、簡便、且つ恒常的に冷暖房空調を安定供給することにある。【構成】本発明は、上記目的を達成するため、地下の低定温状態に着目し図１の如くの水タンク１内の大量の水に、地下の定温状態を一体化させて、その中に低温揮発液の充填された低温揮発液タンク２を放熱盤兼固定用サポーター１１にて固定し、その低温揮発液タンク２内に室内の空気をパイプにより送置して、当低温揮発液タンク２内にて熱交換するために熱伝導率の高い金属パイプを螺旋に形成して、その中に当空気を循環させることにより空気をおよそ１５℃に近づく温度に変換させて室内ファン９を可動させることにより、自動的に１５℃前後の定温空気が定温空気送出用パイプ７により送風される構成とした発明である。【選択図】図１
2004077104.tif 000002
【特許請求の範囲】
【請求項１】
「地下定温利用冷暖房システム基本構造」
図１の如く、地中に水タンク（１）の中に、放熱盤兼固定用サポーター（１１）を多重装備された低温揮発液タンク（２）を適宜挿入し、低温揮発液タンク（２）の内部に螺線を形成された熱交換パイプ（３）を内設する。又この熱交換パイプ（３）の両端が、ゴムシーリングジョイント（１５）を通して水タンク（１）内に出、そこから又水タンク（１）外に連結延長され伸びる。水タンク（１）外では、又ゴムシーリングジョイント（１５）にて水漏れしない構造をもたせて、地上への定温空気送り出しパイプ（７）に連結され、家屋、ビル等に伸ばし家屋壁を通して室内に付設され室内ファン（９）に連結される。又室内からは、室内空気送出ダクト（１０）から家屋壁を通して屋外に伸びた室内空気送出パイプ（８）に連結され、地中にもぐり、水タンク（１）外に設置されゴムシーリングジョイント（１５）にて低温揮発液タンク（２）から出た熱交換パイプ（３）に連結されて、一空気循環システムを構成する事を特徴とする、地下定温利用冷暖房システム基本構造。
【請求項２】
「腐食、泥詰まり防止用カバー付吊り上げ用突出部タンク補強ベルト一体構造」本発明請求項１の水タンク（１）に、図１のようなタンク保持ベルト（５）及び本保持ベルト（５）の端部に一体形成された中央に穴のあいた吊り上げ用突出部（６）を設け、且つその吊り上げ用突出部（６）を適宜カバーする脱着式の突出部カバー（１８）を装備させた事を特徴とする、腐食、泥詰まり防止用カバー付吊り上げ用突出部タンク補強ベルト一体構造。
【請求項３】
「水タンク低温揮発液タンク固定用放熱盤・ガイドレール一体構造」
本発明請求項１の水タンク（１）内に設置する低温揮発液タンク（２）を水タンク（１）内に固定する目的に於いて、水タンク（１）内に図２の如くのガイドレール（１９）を付設して、そのガイドレール（１９）の個数，口径形状に合わせて多孔性の放熱盤兼固定用サポーター（１１）の周縁部を切り落として、放熱盤切り落とし部（２０）を設け、ガイドレール（１９）に合わせて挿入するだけで適宜固定できる構成としたことを特徴とする、水タンク低温揮発液タンク固定用放熱盤・ガイドレール一体構造。
【請求項４】
「エアコン連接型地下定温利用冷暖房システム」
本発明請求項１の地下定温利用冷暖房システム基本構造の室内ファン（９）を通常の室内エアコンに置換して連結し、エアコンの省エネ補助機として活用することを特徴とする、エアコン連接型地下定温利用冷暖房システム。
【発明の詳細な説明】
【０００１】
【発明の属する技術分野】
本発明は、冷暖房空調システムに関するものである。
【０００２】
【従来の技術】
冷暖房空調に関する技術は種々存在する。一般的には石炭や木炭、薪等のストーブ、石油ストーブ、電気エネルギーを利用する電気ヒーター、エアコン、電気こたつ等が暖房の主流である。
【０００３】
冷房に関しては、上の暖房諸システム程多くの種類は存在せず、その主なものは、やはり空気をモーターファンで送る扇風機と電気で低温揮発液を圧縮、膨張させて、空気中の熱を汲み出しその冷やされた空気を又送風してやるといういわゆる電気クーラーが一般的であった。
【０００４】
又、夜間の安い電気料金を利用して大量の氷を作り、その氷で室内や倉庫を冷やす空調システムも開発されている。
【０００５】
【発明が解決しようとする課題】
本発明が解決しようとする課題は、従来の空調システムが必然的にかかえる直接，間接の空気大気汚染と、電気利用型の空調システムの高コスト状況又燃焼型の暖房システムによる諸々の自然環境破壊の軽減にある。
【０００６】
【課題を解決するための手段】
本発明の発明者は、前記課題を解決するには、四季を通してほぼ一定である地下の定温状態を活用すれば良いという考えに至った。本請求項１はその為に、地下埋設用の水タンク１の中に、低温揮発液を充填した低温揮発液タンク２とその中に、地上の室内空気を循環させて熱を吸排出させるための熱交換パイプ３を、より表面積を高めるためにら線状に形成せしめて設置し、当熱交換パイプ３は定温空気送出パイプ７と、室内空気送出パイプ８とに連結されて、定温空気送出パイプ７には家屋壁を通して室内に装備された室内ファン９に連結され、又室内空気送出パイプ８は、室内空気送出ダクト１０に連結されて空気の循環構造としている。この構造であると室内空気は、当循環構造を循環するだけで急速に地下定温状態に向かうこととなる。これは熱力学の第２法則であるエントロピー増大の法則と低温揮発液の低温吸熱特性にある。
【０００７】
本請求項２に係るものは、水タンク１を補強する保持ベルト５とロープを引っ掛ける為の、穴を備えたタンク吊り上げ用突出部６からなり、その突出部が地下埋設時や雨ざらし状態にある時、土の詰まりや錆を防止するカバーが付備されている。
【０００８】
【実施例】
本発明の実施例を図１に基づいて説明する。図１は本発明施工完成時の縦断面概略図である。地中ａに水タンク１が埋設されている。又その水タンク１内に放熱盤兼固定用サポーター１１に固定された低温揮発液タンク２が設置されている。又その低温揮発液１６内には熱交換パイプ３がその熱交換率を上げるためにら線状に巻かれて設置されており、そのら線の中央部には、熱交換後の空気を運ぶ熱交換パイプ終端部が走っている。水タンク１の正面左端には地上の家屋と通じる定温空気送出用パイプ７と室内空気送出パイプ８が伸びており、その内、定温空気送出用パイプ７は、家屋壁を通して室内に設置された室内ファン９に連結されている。この定温空気送出用パイプ７の家屋壁外には、外気・内流空気転換装置１２が装備されている。又同図１室内に目を転ずると、室内に送られた定温空気は、室内部を循環して室内空気送出ダクト１０から室内空気送出パイプ８を通って、又地下の水タンク１内の低温揮発液タンク２の内へと送られることとなる。
【０００９】
更に本発明請求項２の実施例を見ると、水タンク１外の吊り上げ用突出部６がある為に地下にかなり深い穴を掘っても、クレーン等で吊り上げ吊り下げして設置することができる。又タンク保持ベルト５はタンクの強度をも増強している。本水タンク１吊り上げ用突出部カバー１８により、何らかの不具合や移動の時でもすぐに本カバー１８を外してタンク吊り上げ用突出部２０の穴にロープ等を通して作業が出来るようになっている。
【００１０】
又更に本発明請求項３についてみると、図２のように水タンク１内壁に本実施例の場合は、三角柱様のガイドレールが上下に２カ所装備されている。そして、その口径に合致するように放熱盤兼固定用サポーター１１の円盤外周縁部が切り落とされて、放熱盤切り落とし部２０を形成している。この放熱盤切り落とし部２０をガイドレール１９に合わせて押し込んで、すこぶる簡便に低温揮発液タンク２を水タンク１内に固定している。
【００１１】
【発明の効果】
以上、見てきたように本発明によれば四季を問わず年中１５℃前後という地下の定温状態特性を利用することにより、夏は外気温度２５〜３５℃、冬は外気温度−５〜１０℃を１５℃を中心とした温度方向に移動させることができる。
【００１２】
又、一度埋設すると、電気を大量消費する今日のエアコンのように家計を圧迫することがない。
【００１３】
夏など、発電能力を超えて産業に打撃を与えることもない。
【００１４】
なによりも、世界的な大気汚染の元凶をなしている化石燃料の消費の大幅削減に通ずる。
【００１５】
エアコンは、電気消費量が大きく病院やオフィスビル工場等の１ヶ月の電気料金は何百万、時に何千万円にもなり、このコストを著しく削減できる。
以上のように本発明によれば、一度付設すると半永久的に利用可能でランニングコストも極端に削減でき、直接・間接の大気汚染防止、又、二酸化炭素・一酸化炭素中毒になる危険もなく、火も使用しないため安心して老人・子供のいる家でも使用できる等、本発明の効果は著しい省エネ効果というだけではない総合的な効果を期待できる。
【図面の簡単な説明】
【図１】本発明基本構造を示す縦断面概略図である。
【図２】水タンク正面断面概略図である。
【符号の説明】
１．水タンク
２．低温揮発液タンク
３．熱交換パイプ
４．水タンクサポートゲタ
５．タンク保持ベルト
６．タンク吊り上げ用突出部
７．定温空気送出パイプ
８．室内空気送出パイプ
９．室内ファン
１０．室内空気送出ダクト
１１．放熱盤兼固定用サポーター
１２．外気・内流空気転換装置
１３．ストッパー
１４．熱交換パイプサポートリング
１５．ゴムシーリングジョイント
１６．低温揮発液
１７．水
１８．タンク吊り上げ用突出部カバー
１９．ガイドレール
２０．放熱盤切り落とし部
【図１】
2004077104.tif 000003
【図２】
2004077104.tif 000004